(57)【特許請求の範囲】
【請求項１】
スラブ面上を転がし敷設された鞘管内に流水管が挿通され、この鞘管を介して流水管が給水給湯ヘッダーから仕上げ床上に立ち上げ配管された配管構造であって、
流水管の先端部には、貫通孔を有する鍔部が周設された管継手が接続され、この管継手を介して化粧パイプや給水栓などを接続することができるようになされ、
鞘管は、屋外の給水給湯ヘッダーの位置から建物内のスラブ面上に転がし敷設され、その先端に、互いに受け挿し接続可能な受部材と挿部材とからなる配管部材の一端部が接続されるとともに、この配管部材の他端部には、前記管継手の鍔部を介して、防水壁が周設された固定部材が接続され、配管部材の内部と固定部材の防水壁の内側とは貫通孔を介して連通するようになされ、
スラブ面上から仕上げ床までの高さに合わせて、配管部材の受部材と挿部材との受け挿し具合が調節されて、固定部材は、仕上げ床に穿孔された開口部から防水壁が突設するように設けられたことを特徴とする配管構造。
【発明の詳細な説明】
【０００１】
【産業上の利用分野】
本発明は、鞘管工法による鞘管を利用した流水管の配管構造に関するものである。
【０００２】
【産業上の利用分野】
一般に、建物内の給水給湯などの配管を行う場合、建物の躯体工事の際に、蛇腹状の鞘管を配設しておき、後にこの鞘管内に、給水給湯用の流水管を挿通させる鞘管工法が行われている。
【０００３】
従来より、この鞘管工法としては、例えば、特開平４−２０９２１８号公報に示すように、鞘管を側壁の裏面に沿って立ち上げ配管するとともに、この鞘管の先端部に水受けを取着し、この水受けの位置で、鞘管に挿通された流水管に給水栓を接続して、この給水栓を側壁から露出させるようになされた配管システムが提案されている。
【０００４】
また、このような側壁の無い位置に、鞘管工法によって給水栓などを設ける場合、例えば、特開平６−４２６８０号公報に示すような継手支持固定具を使用していた。すなわち、この継手支持固定具を使用して鞘管および流水管を仕上げ床の開口部の位置まで立ち上げ配管し、仕上げ床上から、流水管の先端部に化粧パイプなどを介して給水栓を接続していた。
【０００５】
【発明が解決しようとする課題】
しかし、仕上げ床に立ち上げ配管した場合、仕上げ床上で、化粧パイプや給水栓などが接続されるため、この接続箇所で漏水などを生じた場合、化粧パイプを伝って仕上げ床を濡らしたり、開口部を介して漏水がスラブ面に流れ落ちるといった不都合を生じることとなる。
【０００６】
本発明は、係る実情に鑑みてなされたものであって、鞘管工法によって仕上げ床に立ち上げ配管した配管構造において、鞘管を漏水のドレイン管として有効利用することのできる配管構造を提供することを目的としている。
【０００７】
【課題を解決するための手段】
上記課題を解決するための本発明の配管構造は、スラブ面上を転がし敷設された鞘管内に流水管が挿通され、この鞘管を介して流水管が給水給湯ヘッダーから仕上げ床上に立ち上げ配管された配管構造であって、流水管の先端部には、貫通孔を有する鍔部が周設された管継手が接続され、この管継手を介して化粧パイプや給水栓などを接続することができるようになされ、鞘管は、屋外の給水給湯ヘッダーの位置から建物内のスラブ面上に転がし敷設され、その先端に、互いに受け挿し接続可能な受部材と挿部材とからなる配管部材の一端部が接続されるとともに、この配管部材の他端部には、前記管継手の鍔部を介して、防水壁が周設された固定部材が接続され、配管部材の内部と固定部材の防水壁の内側とは貫通孔を介して連通するようになされ、スラブ面上から仕上げ床までの高さに合わせて、配管部材の受部材と挿部材との受け挿し具合が調節されて、固定部材は、仕上げ床に穿孔された開口部から防水壁が突設するように設けられたものである。
【０００８】
【作用】
本発明によると、流水管に接続した給水栓や化粧パイプなどに漏水を生じた場合、この化粧パイプなどを伝って流れ落ちる漏水が防水壁に堰き止められることとなる。また、この防水壁に堰き止められた漏水は、貫通孔から配管部材内に流入し、鞘管を介して、給水給湯ヘッダーのある外部へと導出される。
【０００９】
【実施例】
以下、本発明の実施例を図面を参照して説明する。
【００１０】
図１は配管構造の全体構成の概略を示し、図２は同要部を示している。
【００１１】
すなわち、この配管構造は、鞘管１および配管部材２を介して流水管３が仕上げ床４上に立ち上げ配管された配管構造であって、鞘管１に接続した配管部材２が、固定部材５によって仕上げ床４の開口部４０に固定されている。
【００１２】
鞘管１は、屋外の給水給湯ヘッダー３１の位置から建物６内のスラブ面６１に転がし敷設される。この鞘管１は、本発明の配管構造において漏水のドレイン管として使用されるため、途中不陸箇所が有ったり、地中に埋設されている箇所があっても良いが、仕上げ床４の開口部４０の位置よりも高い所に敷設されるようなことがあってはいけない。
【００１３】
配管部材２は、受け挿し接続可能な受部材２１と挿部材２２とによって構成されている。この受部材２１および挿部材２２は、それぞれ４５°の曲げ角度の曲部を有する円筒状に形成され、合計９０°の曲げ角度で曲げられている。また、受け挿し具合で長さ調節をすることで、仕上げ床４の高さに合わせた調節ができるようになされている。この配管部材２は、挿部材２２側の端部が鞘管１の端部に接続された状態でスラブ面６１に固定される。また、受部材２１側の端部は、その外周面にネジ目２３が設けられ、固定部材５に螺合固定できるようになされている。さらに、この配管部材２は、本発明の配管構造において漏水のドレイン管として使用されるため、受部材２１と挿部材２２との間にシールリング２４を介して受け挿し接続されている。
【００１４】
流水管３は、一端が給水給湯ヘッダー３１に接続され、鞘管１および配管部材２内を挿通されて仕上げ床４の開口部４０の位置で管継手３２に固定される。この管継手３２には、貫通孔３０を有する鍔部３３が周設されており、この鍔部３３で上記受部材２１の端部を塞いだ状態で、その外側から受部材２１に固定部材５が固定される。そして、この貫通孔３０を介して鞘管１および配管部材２内と外部とが連通するようになされている。この貫通孔３０の形状としては、特に限定されるものではなく、例えば、図３（ａ）（ｂ）に示すように、六個または四個の円形の貫通孔３０であってもよく、図３（ｃ）（ｄ）に示すように、四個または二個の扇形の貫通孔３０であってもよい。
【００１５】
固定部材５は、円筒状に形成された内周面にストッパ５１が周設され、このストッパ５１に設けられた溝部５２にシールリング５３を介して、上記鍔部３３を抑え込むようになされている。また、ストッパ５１の下側は受部材２１と螺合するネジ部５４となされ、ストッパ５１の上側は仕上げ床４よりも上方に突設して防水壁５０を構成するようになされている。この防水壁５０は、あまり高すぎると見栄えが悪くなるので、５０ｍｍまでの範囲内で適宜の突設高さで設定される。そして、この防水壁５０の内側の管継手３２に、化粧パイプ７などが接続される。
【００１６】
この配管構造によると、化粧パイプ７など仕上げ床４より上方の接続箇所で漏水を生じた場合に、この化粧パイプ７を伝って流れ落ちる漏水を防水壁５０で堰き止めて貫通孔３０から配管部材２内に流入させ、鞘管１を介して屋外へと導出させることができる。したがって、仕上げ床４を濡らしたり、スラブ面６１を濡らすといったことを防止することができることとなる。
【００１７】
また、この配管構造の場合、立ち上げ箇所には、鞘管１とは別途に円筒状の配管部材２を使用しているため、後に流水管３を挿通する際、引っ掛かりもなく滑らかに挿通することができる。また、流水管３は、受部材２１および挿部材２２のそれぞれに設けた曲部で徐々に曲げられながら挿通されることとなるため、挿通抵抗が増して挿通が困難になることもなく容易に挿通することができる。ただし、配管部材２を使用せずに、固定部材５を介して鞘管１を直接的に仕上げ床４の開口部４０に固定する配管構造であってもよい。
【００１８】
【発明の効果】
以上述べたように、本発明によると、鞘管工法によって仕上げ床に流水管を立ち上げ配管した配管構造において、この流水管に接続した化粧パイプや給水栓などから漏水を生じた場合であっても、この漏水を防水壁で堰き止めて貫通孔から配管部材内に流入させ、鞘管を介して給水給湯ヘッダーのある外部へと導出させることができるので、仕上げ床やスラブ面が濡れるのを防止することができる。
【図面の簡単な説明】
【図１】配管構造の全体構成の概略を示す断面図である。
【図２】配管構造の要部を示す部分拡大断面図である。
【図３】各種貫通孔の形状を示す平面図である。
【符号の説明】
１  鞘管
２  配管部材
３  流水管
３０  貫通孔
３１  給水給湯ヘッダー
４  仕上げ床
４０  開口部
５  固定部材
５０  防水壁
６１  スラブ面
【図１】
0003625510.tif 000002
【図２】
0003625510.tif 000003
【図３】
0003625510.tif 000004